(57)【要約】【課題】簡単で使い易いロック装置とこれを装備した扉付かご台車を提供する。【解決手段】縦横パイプの格子からなる観音開き扉の片方扉の横パイプに、ロック杆の一端を係着具で少なくとも扉面に直角な面と平行な面で回動自在に係止し、この係止部から扉の合わせ目を直角に横断して他方扉の横パイプに、ロック杆の他端を掛着具で着脱自在に掛止する。【選択図】図１
2006341638.tif 000002
【特許請求の範囲】
【請求項１】
縦横パイプの格子からなる観音開き扉の片方扉の横パイプに、ロック杆の一端を係着具で少なくとも扉面に直角な面と平行な面で回転自在に係止し、この係止部から扉の合わせ目を直角に横断して他方扉の横パイプに、ロック杆の他端を掛着具で着脱自在に掛止することを特徴とするロック装置。
【請求項２】
横パイプでの係止部分及び横パイプの掛止部分が共に、各扉幅の１／２以上扉の合わせ目から離れていることを特徴とする請求項１に記載のロック装置。
【請求項３】
係着具を、対称部材二個合わせで横パイプの周面を摺動自在に挟む回動部と対称部材二個合わせでロック杆４を先端から軸方向に抓む掴持部とをヒンジ接合して形成したことを特徴とする請求項１又は２に記載のロック装置。
【請求項４】
縦横パイプの格子からなる片開き扉のパイプからなる扉枠に、ロック杆の一端を係着具で少なくとも扉面に平行な面で回動自在に係止し、この係止部から扉枠と扉の合わせ目を直角に横断して扉の横パイプに、ロック杆の他端を掛着具で着脱自在に掛止することを特徴とするロック装置。
【請求項５】
横パイプの掛止部分が、扉幅の１／２以上扉枠と扉の合わせ目から離れていることを特徴とする請求項4に記載のロック装置。
【請求項６】
ロック杆が同等のパイプからなることを特徴とする請求項1、2、3、4又は5に記載のロック装置。
【請求項７】
請求項1、2、3、4、5又は6に記載のロック装置を装備し、パイプからなることを特徴とする扉付かご台車。 
【発明の詳細な説明】
【技術分野】
【０００１】
本発明は、コンビニエンスストアー、デパート、部材組立工場等において、物品の運搬
に使用する外開き扉付かご車とその扉のロック装置に関するものである。
【背景技術】
【０００２】
従来から、扉付かご台車やその扉のロック装置に関しては多数提案され実用化されてい
る。これ等の代表例として、特許文献１には、ベース板上に左右一対の側枠を相対向して配設し、これら側枠の遊端に、それぞれ前枠を揺動自在ならびに着脱自在に取り付けるとともに、これら前枠の相対向端間に係脱自在なロック装置を設け、両前枠に、ベース板側に下方から係脱自在なロック具を昇降自在に設けるとともに、このロック具に昇降方向に対して傾斜方向から作用してロック具を係合方向に上昇させる付勢具を設け、この付勢具による付勢力に抗し離脱方向に下降させたロック具の上昇を前記傾斜方向の付勢力を利用して阻止する上昇阻止部を設けたことを特徴とする物品運搬具が、特許文献2には、扉の回動端パイプに固定されるベースに、扉受けパイプを抱き込むように形成されたロック片を設けたものにおいて、前記ベースには、裏面に扉の回動端パイプに固定される固定継手を形成した基部を設けると共にその先端部には裏面側に折曲したストッパ部を設け、前記ロック片には、ベースの基部に添うように折曲した基部に連続してロック時扉受けパイプを抱き込むように内側に円弧状に形成した抱き込み部を設けると共に、先端には外方に傾斜させたガイド部を一体に設け、かつベースの基部と、ロック片の基部とを復元バネを内蔵した蝶番で回動自在に連結してなるロック装置がそれぞれ開示されている。
【０００３】
しかしながら、前者の物品運搬具のロック具は複雑な機構でその操作に手間を要し、また、後者のロック装置の操作は簡単であるものの、そのロック力には限度があり、常に外れの危惧が付きまとっていた。
【特許文献１】特許第2687036号公報
【特許文献２】実用新案登録第2507398号公報
【発明の開示】
【発明が解決しようとする課題】
【０００４】
本発明の目的は、上述した従来のロック装置やこれを用いる扉付かご車が有する課題を解決し、簡単で使い易いロック装置とこれを装備した扉付かご台車を提供することにある。
【課題を解決するための手段】
【０００５】
上記目的を達成するため、本発明第一のロック装置は、縦横パイプの格子からなる観音開き扉の片方扉の横パイプに、ロック杆の一端を係着具で少なくとも扉面に直角な面と平行な面で回動自在に係止し、この係止部分から扉の合わせ目を直角に横断して他方扉の横パイプに、ロック杆の他端を掛着具で着脱自在に掛止することを特徴とする。
【０００６】
この場合、横パイプでの係止部分及び横パイプの掛止部分を共に、各扉幅の１／２以上扉の合わせ目から離してロック装置を取り付けることができる
【０００７】
また、係着具を、対称部材二個合わせで横パイプの周面を摺動自在に挟む回動部と対称部材二個合わせでロック杆４を先端から軸方向に抓む掴持部とをヒンジ接合して形成することができる
【０００８】
また、本発明第二のロック装置は、縦横パイプの格子からなる片開き扉のパイプからなる扉枠に、ロック杆の一端を係着具で少なくとも扉面に平行な面で回動自在に係止し、この係止部分から扉枠と扉の合わせ目を直角に横断して扉の横パイプに、ロック杆の他端を掛着具で着脱自在に掛止することを特徴とする。
【０００９】
この場合、横パイプの掛止部分を、扉幅の１／２以上扉枠と扉の合わせ目から離してロック装置を取り付けることができる
【００１０】
さらに、本発明のかご台車は、上述のロック装置を装備し、パイプからなることを特徴とする。
【発明の効果】
【００１１】
本発明第一のロック装置は、縦横パイプの格子からなる観音開き扉の片方扉の横パイプに、ロック杆の一端を係着具で少なくとも扉面に直角な面と平行な面で回動自在に係止することで、その係止部分を支点として扉面の表側で自由にロック杆を動かすことができ、また、係止部分から扉の合わせ目を直角に横断して他方扉の横パイプに、ロック杆の他端を掛着具で着脱自在に掛止することで、操作が簡単で安全且つ安定したロック状態が可能になる。
【００１２】
この場合、横パイプでの係止部分及び横パイプの掛止部分を共に、各扉幅の１／２以上扉の合わせ目から離すことで、より長いスパンで均等に扉面の動きを封じることになり、扉のがたつきが減少し、より安全で安定したロック状態が可能になる。
【００１３】
また、係着具を、対称部材二個合わせで横パイプの周面を摺動自在に挟む回動部と対称部材二個合わせでロック杆を先端から軸方向に抓む掴持部とをヒンジ接合して形成することで、係止部分を支点として扉の表面側でロック杆を自由に動かすことができ、また、ロック杆を簡単に装着することができ、簡単に取り外すこともできる
【００１４】
また、本発明第二のロック装置は、縦横パイプの格子からなる片開き扉のパイプからなる扉枠に、ロック杆の一端を係着具で少なくとも扉面に平行な面で回動自在に係止することで、その係止部分を支点として扉面の表側で扉面に沿って自由にロック杆を動かすことができ、また、この係止部から扉枠と扉の合わせ目を直角に横断して扉の横パイプに、ロック杆の他端を掛着具で着脱自在に掛止することで、操作が簡単で安全且つ安定したロック状態が可能になる。
【００１５】
この場合、横パイプの掛止部分を、扉幅の１／２以上扉枠と扉の合わせ目から離すことで、より長いスパンで均等に扉面の動きを封じることになり、扉のがたつきが減少し、より安全で安定したロック状態が可能になる。
【００１６】
さらに、本発明の扉付かご台車は、上記第一、第二のロック装置を装備し、パイプからなることで、軽量で扱い易く、より安心して使用することができるようになる。
【発明を実施するための最良の形態】
【００１７】
以下、本発明のロック装置と扉付かご台車の実施の形態を図面に基づいて説明する。
【実施例１】
【００１８】
図１に本発明のロック装置の第一実施例を示す。
このロック装置１は、縦パイプ２２と横パイプ２１の格子からなる観音開き扉２の片方扉の横パイプ２１に、同様なパイプからなるロック杆４の一端を係着具５で少なくとも扉面に直角な面と平行な面で回転自在に係止し、この係止部から扉の合わせ目３を直角に横断して他方扉の横パイプ２１に、外キャップ４１を嵌めたロック杆４の他端を、横方向の動きをズレ防止具で封じ、掛着具６で着脱自在に掛止したもので、横パイプ２１での係止部分及び横パイプ２１での掛止部分を共に、扉の合わせ目３から各扉幅の１／２以上離し、ロック杆４の両端をそれぞれ係止、掛止している。
【００１９】
また、図１内に二点鎖線で表示しているロック杆４は、横パイプ２１とロック杆４の係止部分を支点として、扉表側でのロック杆４の動きの例、この場合は、図内矢印で示すロック解除の工程を示している。ロック解除時にロック杆４が邪魔になる場合は、図示省略するが、掛着具６を係止側扉の他の縦パイプ２２か横パイプ２１に掛止させればよいことになる。
【００２０】
図２は、上記第一実施例で使用している係着具５を分解して示すもので、金具を対称に二個合わせて形成され軸止部５６を具備し横パイプ２１の周面を摺動自在に挟み付けることが可能な回動部５１と、金具を対称に二個合わせて形成されヒンジ孔５７を具備しロック杆４の先端を強く抓むことができる掴持部５２とを、ヒンジ孔５７を軸止部５６に挿入してヒンジピン５３で接合するように形成されている。
【００２１】
また、図３は、上記実施例で使用している掛着具６を拡大して示すもので、フック部６１と拘持部６２とからなり、拘持部６２にロック杆４の端部周面を嵌着し、フック部６１を手で横パイプ２１にフックさせるよう形成されている。
この場合、拘持部６２にロック杆４を周面摺動自在に嵌着してもよく、固定嵌着してもよいが、このようなことは設計で適宜決められることになる。
【００２２】
さらに、図４、図５も上記実施例を示すもので、この場合、図４の平面図は、扉を閉じロックする直前の掛着具６のフック部６１を扉２の横パイプ２１に引っ掛けた状態を、図５の平面図は、同状態から扉が最下部でかご台車の底板等に必要に応じて設けられるストッパー２３に当接し、ロック杆４の重みで係着具５の回動部５１と掛着具６のフック部６１とが並行して扉の横パイプ２１の周面を下方に摺動(横パイプ７２１を軸に下方に回転)し、ロック杆４が全長に亘り均等に扉面と接している完全なロック状態をそれぞれ示している。
【００２３】
このように、本発明第一のロック装置１は、縦横パイプ２１、２２の格子からなる観音開き扉２の片方扉の横パイプ２１に、ロック杆４の一端を係着具６で少なくとも扉面に直角な面と平行な面で回動自在に係止することで、その係止部分を支点として扉面の表側で自由にロック杆４を動かすことができ、また、係止部分から扉の合わせ目を直角に横断して他方扉の横パイプ２１に、ロック杆の他端を掛着具６で着脱自在に掛止することで、操作が簡単で安全且つ安定したロック状態が可能になり、また、横パイプ２１の係止部分及び横パイプ２１の掛止部分を共に、扉の合わせ目から各扉幅の１／２以上離してロック装置１を取り付けることで、より長いスパンで均等に扉面の動きを封じることになり、更に安全且つ安定したロック状態が可能になり、また、係着具5を、対称部材二個合わせで横パイプ２１の周面を摺動自在に挟む回動部５１と対称部材二個合わせでロック杆１を先端から挟み付ける掴持部５２とをヒンジ接合して形成することで、ロック杆１を簡単に装着することができ、簡単に取り外すこともできることになる。
【実施例２】
【００２４】
図６に本発明のロック装置の第二実施例を示す。
このロック装置１０は、縦パイプ２２と横パイプ２１の格子からなる片開き扉２０の同様なパイプからなる扉枠７０に、ロック杆４０の一端を係着具５０で少なくとも扉面に平行な面で回動自在に係止し、この係止部分から扉枠７０と扉の合わせ目３０を直角に横断して扉の横パイプ２１に、ロック杆４０の他端を掛着具６０で着脱自在に掛止したもので、横パイプの掛止部分を、扉枠と扉の合わせ目から扉幅の１／２以上離し、ロック杆４０の一端を掛止している
この場合、図内二点鎖線で表示しているロック杆40は、ロックを解除した時の状態を示している。
【００２５】
図７は、上記第二実施例で使用している係着具５０を分解して示すもので、金具を二個合わせて形成され軸止部５６を具備する枠７０パイプの周面を強固に挟み付けることが可能な挟持部５５と、金具を対称に二個合わせて形成されヒンジ孔５７を具備しロック杆４０の先端を強く抓むことができる掴持部５２とを、ヒンジ孔５７を軸止部５６に挿入してヒンジピン５３で接合するように形成されている。
【００２６】
また、図８は、係着具５０のヒンジ接合部の他の例を示す断面図である。
この場合、軸支部５６の空間を比較的広く設け、ヒンジビス５３に扉方向に低くなる傾斜を持たし、掴持部５２のヒンジ孔５７を比較的大きく設けている。
このように係着具５０を形成することで、ロック装置１０を閉じた時にロック杆４０は傾斜に沿って微動し、ロック杆４０はその長さを通して扉面により接触することになり、より安定したロック状態が得られることになる。
【００２７】
このように、本発明第二のロック装置１０は、縦横パイプ２１、２２の格子からなる片開き扉２０のパイプからなる扉枠７０に、ロック杆４０の一端を係着具５０で少なくとも扉面に平行な面で回動自在に係止することで、その係止部分を支点として扉面の表側で扉面に沿って自由にロック杆４０を動かすことができ、また、この係止部分から扉枠７０と扉の合わせ目を直角に横断して扉の横パイプに、ロック杆４０の他端を掛着具６０で着脱自在に掛止することで、操作が簡単で安全且つ安定したロック状態が可能になり、また、横パイプ２１の掛止部分を、扉枠７０と扉の合わせ目から扉幅の１／２以上離してロック装置１０を取り付けることで、より長いスパンで均等に扉面の動きを封じることになり、更に安全且つ安定したロック状態が可能になることになる。
【実施例３】
【００２８】
図９に本発明の扉付かご台車の一実施例を示す。
この扉付かご台車７は、それぞれがパイプ格子の背面枠７３、この両側から延設する二つの側面枠７２、これ等と一体化した底面枠７４、底面枠７４の四隅で取り付け用部材７６を介して取り付けられた四個のキャスター７５、図示省略するが、底面枠７４を強化する補強用部材、そして二つの側面枠７２の表側端部にそれぞれ扉用ヒンジ７１で接合された観音開き扉２で構成され、同図から明らかなように、この観音開き扉２は上述のロック装置１で閉じられた状態となっている。
【００２９】
この場合、側面枠７２、背面枠７３、底面枠７４は個々に独立したものでなく、設計に応じパイプを継ぎ手や接続具を用いて一体的に組立て、好適な扉付かご台車７が形成されることになる。
また、この扉付かご台車７の場合、底面枠７４の最前部のパイプが扉のストッパー２３を兼ねるように設計されている。
【００３０】
このような扉付かご台車７は、軽量で丈夫であることに加えて、本発明のロック装置１、１０を装備することで、扉の開閉が簡単にでき、非常に使い勝手がよいものとなる。
【００３１】
以上、本発明のロック装置と扉付かご台車について、その実施例に基づいて説明したが、本発明は上記実施例に記載した構成に限定されるものではなく、その趣旨を逸脱しない範囲において適宜その構成を変更することができるものである。
【産業上の利用可能性】
【００３２】
本発明のロック装置は、その簡単明瞭な仕組みからパイプからなる扉に限らずあらゆる扉や蓋に好適に用いることができる。
【図面の簡単な説明】
【００３３】
【図１】本発明のロック装置の第一実施例を示す斜視図である。
【図２】第一実施例で使用する係着具を分解した斜視図である。
【図３】第一実施例で使用する掛着具を示す斜視図である。
【図４】第一実施例を示す平面図である。
【図５】第一実施例を示す平面図である。
【図６】本発明のロック装置の第二実施例を示す斜視図である。
【図７】第二実施例で使用する係着具を分解した斜視図である。
【図８】第二実施例で使用する係着具の一部の断面図である。
【図９】本発明の扉付かご台車の一実施例を示す斜視図である。
【符号の説明】
【００３４】
１、１０    ロック装置
２          観音開き扉
２０        片開き扉
２１        横パイプ
２２        縦パイプ
２３        扉のストッパー
３、３０    合わせ目
４、４０    ロック杆
４１        外キャップ
５、５０    係着具
５１        回動部
５２        掴持部
５３        ヒンジビス
５４        固定ビス
５５        挟持部
５６        軸支部
５７        掴持部のヒンジ孔
６、６０    掛着具
６１        フック部
６２        拘持部
６３        掛止具のズレ防止具
７          扉付かご台車
７０        扉枠
７１        扉用ヒンジ
７２        側面枠
７３        背面枠
７４        底面枠
７５        キャスター
７６        取り付け用部材
【図１】
2006341638.tif 000003
【図２】
2006341638.tif 000004
【図３】
2006341638.tif 000005
【図４】
2006341638.tif 000006
【図５】
2006341638.tif 000007
【図６】
2006341638.tif 000008
【図７】
2006341638.tif 000009
【図８】
2006341638.tif 000010
【図９】
2006341638.tif 000011